【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
創傷表面上で包帯の向きによって異なる創傷処置特徴を与える創傷用包帯。
【手続補正２】
【補正対象書類名】明細書
【補正対象項目名】００１７
【補正方法】変更
【補正の内容】
【００１７】
実施例2
積層工程の前に、液状シリコーンゴムに顔料を加えて、実施例1の方法を繰り返した。シリコーンをベースとする青色インク〔カリフォルニア州カーピンテリアのヌシル・テクノロジー(Nusil Technology)社から市販の製品コードR1008-7〕を、4重量%の濃度にてMDX4-4210中に混合した。IPN材料は透明であり、フォームは不透明であるので、青色顔料は、包帯材の一方の側にソフトな青色を付与した。これは、現場において、包帯材の一方の側を他方の側と区別するための視覚的標識として役立つ。
本発明の実施態様は、例えば、下記のような態様がある。
１  創傷表面上で包帯の向きによって異なる創傷処置特徴を与える創傷用包帯。
２  一方の向きが非接着表性面を与え、他方の向きが接着性表面を与える、上記１に記載の包帯。
３  創傷用包帯が多層複合構造から構成される、上記１に記載の包帯。
４  創傷用包帯が多層複合構造から構成される、上記２に記載の包帯。
５  多層複合構造が、少なくとも一つの膜層および少なくとも一つのフォーム層から構成される、上記３に記載の包帯。
６  多層複合構造が、少なくとも一つの膜層および少なくとも一つのフォーム層から構成される、上記４に記載の包帯。
７  膜層がシリコーン含有化合物から構成される、上記５に記載の包帯。
８  膜層がシリコーン含有化合物から構成される、上記６に記載の包帯。
９  フォーム層がポリウレタン材料から構成される、上記５に記載の包帯。
１０  フォーム層がポリウレタン材料から構成される、上記６に記載の包帯。
１１  膜層がシリコーン含有化合物から構成され、フォーム層がポリウレタン材料から構成される、上記５に記載の包帯。
１２  膜層がシリコーン含有化合物から構成され、フォーム層がポリウレタン材料から構成される、上記６に記載の包帯。
１３  創傷表面上で包帯の向きによって異なる創傷処置特徴を与える創傷用包帯の製造法であり、（１）ポリマーコンパウンドの薄いフィルムを形成すること、（２）形成した薄いフィルムを被覆用アセンブリー中に通過させ、そして接着剤物質の層を堆積させること、（３）フォーム材料を前記接着剤に密接に接触させること、そして、（４）場合により、シートから個々の包帯に切断することおよび／またはフィルム中に複数の孔を設けることからなる前記創傷用包帯の製造法。
１４  創傷表面の包帯の向きによって異なる創傷処置特徴を有する包帯を使用して種々の創傷のタイプを処置する方法。
１５  実質的に本明細書に記載した通りの新規な創傷用包帯。
１６  実質的に本明細書に記載した通りの２重目的創傷用包帯。
１７  実質的に本明細書に記載した通りの種々の創傷のタイプを処置する新規な方法。
１８  創傷用包帯として使用するための複合物品であって、当該物品は、第１表面；および第２表面を含み、ここで、第１表面と第２表面とは創傷治癒に対して各々異なる特性を有する、前記複合物品。
１９  創傷用包帯として使用するための複合物品であって、当該物品は、少なくとも一つの第１層の材料；および当該第１層の材料と結合した少なくとも一つの第２層の材料を含み、ここで、前記少なくとも一つの第１層の材料は前記物品の第１表面を形成し、前記少なくとも一つの第２層の材料は前記物品の第２表面を形成し、そして前記第１表面と前記第２表面とは創傷治癒に対して各々異なる特性を有する、前記複合物品。
２０  前記少なくとも一つの第１層の材料を前記少なくとも一つの第２層の材料に結合させるための結合剤をさらに含む、上記１９に記載の複合物品。
２１  前記結合剤がシリコーン化合物を含む、上記２０に記載の複合物品。
２２  前記少なくとも一つの第１層が少なくとも一つの膜層を含む、上記１９に記載の複合物品。
２３  前記少なくとも一つの第１層がシリコーン含有化合物を含む、上記１９に記載の複合物品。
２４  前記少なくとも一つの第２層がフォーム層を含む、上記１９に記載の複合物品。
２５  前記フォーム層がポリウレタンを含む、上記２４に記載の複合物品。
２６  前記シリコーン含有化合物が、ポリテトラフルオロエチレンおよびシリコーンの相互侵入高分子網目を含む、上記２３に記載の複合物品。
２７  前記シリコーン含有化合物が、ポリテトラフルオロエチレンおよびシリコーンの相互侵入高分子網目を含む、上記２４に記載の複合物品。
２８  前記フォーム層がポリウレタンを含む、上記２３に記載の複合物品。
２９  前記フォーム層がポリウレタンを含む、上記２４に記載の複合物品。
３０  前記少なくとも第１層および前記少なくとも第２層のうちの少なくとも一つを他から識別するために前記少なくとも一つの第１層および前記少なくとも一つ第２層のうちの少なくとも一つと関連付けた顔料をさらに含む、上記１９に記載の複合物品。
３１  前記少なくとも一つの第１層が実質的に透明な材料を含み、そして前記少なくとも一つ第２層が実質的に不透明な材料を含み、前記複合物品が前記少なくとも一つの第１層の材料に対して識別できる色を付与するための顔料をさらに含む、上記１９に記載の複合物品。
３２  さらに顔料を含み；前記結合剤がシリコーン含有化合物を含み、そして前記顔料が前記シリコーン含有化合物に添加される、上記２０に記載の複合物品。
３３  前記少なくとも一つの第１層が、その中に複数の孔を有するポリマーフィルムを含む、上記１９に記載の複合物品。
３４  創傷の処置方法であって、
第１の位置に配置されるとき少なくとも第１の治療特性を有しかつ第２の位置に配置されるとき少なくとも第２の治療特性を有する創傷用包帯を用意し、
治療すべき創傷に対して第１の治療特性および第２の治療特性のうちの一方または他方を選択し、
創傷用包帯を配置して選択した治療特性を達成するように創傷に接触させることにより、創傷用包帯を創傷に適用する、前記処置方法。
３５  第１の位置に配置されるとき少なくとも第１の治療特性を有しかつ第２の位置に配置されるとき少なくとも第２の治療特性を有する創傷用包帯を用意する段階が、少なくとも第１表面および少なくとも第２表面を有する創傷用包帯を用意することを含み；
治療すべき創傷に対して第１の治療特性および第２の治療特性のうちの一方または他方を選択する段階が、前記創傷用包帯の第１表面および前記創傷用包帯の第２表面の一方または他方を選択することを含み；そして
創傷用包帯を適用する段階が、前記創傷と前記選択した表面とを接触させることを含む、上記３４に記載の方法。
３６  前記創傷用包帯を前記創傷と接触した状態に維持させ；そして
前記創傷用包帯を前記創傷から取り外すことをさらに含む、上記３６に記載の方法。
３７  創傷用包帯を用意する段階が、少なくとも一つの第１層および少なくとも一つの第２層を有する創傷用包帯を用意することを含み、ここで各層は創傷治癒に対して異なる特性を示し；選択の段階が治療すべき創傷に対して第１の治療特性および第２の治療特性の一方または他方を選択することを含み；そして、配置する段階が、前記少なくとも一つの第１層および前記少なくとも一つの第２層の一方または他方を配置し、治療すべき創傷と接触させて選択した治療特性を適用することを含む、上記３４に記載の方法。